(57)【要約】【課題】化粧板３の仮止めを容易に行うことができるとともに、化粧板の壁面への安定した取付固定力を得る。【解決手段】壁下地材２に化粧板を接着剤４を介在して接着固定する。化粧板の裏面の所要箇所に、長さ方向所要間隔に孔６を有する両面テープ５をその離型紙５ｃ側を表にして貼着し、その両面テープを貼着した化粧板の裏面の全域に両面テープの孔６内も含めて水性形接着剤４を塗布する。その後、離型紙５ｃを剥がし、化粧板３を下地材に圧力をもって当てがい、両面テープの接着力で化粧板を下地材に仮止めし、水性形接着剤の硬化によって本固定する。水性形接着剤を使用し、木質の壁下地材に化粧板を接着するので、接着剤の水分は、無害であって、その木質を介して揮発するため、その接着剤の硬化は円滑になされる。また、硬化すれば、水性形接着剤は十分な接着力を経年をもって維持する。【選択図】図６
2015200070.tif 000002
【特許請求の範囲】
【請求項１】
壁下地材（２）に化粧板（３）を接着剤（４）を介在して接着固定した壁面への化粧板（３）の固定構造において、前記壁下地材（２）と化粧板（３）の間に仮止め用両面テープ（５）が介在され、その両面テープ（５）はその長さ方向に所要間隔で孔（６）が形成されており、前記接着剤（４）は、水性形であって、壁下地材（２）と化粧板（３）の間の全域に介在されて壁面に化粧板（３）を固定しているとともに前記各孔（６）内に入り込んでその孔（６）内においても壁面に化粧板（３）を固定していることを特徴とする化粧板の壁面への固定構造。
【請求項２】
壁下地材（２）に化粧板（３）を接着剤（４）を介在して接着固定する請求項１に記載の壁面への化粧板の固定構造をなすための壁面への化粧板の取付固定方法であって、
上記化粧板（３）の裏面の所要箇所に、長さ方向所要間隔に孔（６）を有する両面テープ（５）をその離型紙（５ｃ）側を表にして貼着し、その両面テープ（５）を貼着した化粧板（３）の裏面の全域に前記両面テープ（５）の孔（６）内も含めて水性形接着剤（４）を塗布し、その後、前記離型紙（５ｃ）を剥がし、前記化粧板（３）を上記壁下地材（２）に両面テープ（５）及び接着剤（４）を介在して圧力をもって当てがい、前記両面テープ（５）の接着力で化粧板（３）を壁下地材（２）に仮止めし、前記水性形接着剤（４）の硬化によって本固定することを特徴とする壁面への化粧板の取付固定方法。
【請求項３】
上記化粧板（３）の裏面への両面テープ（５）の貼着は、前記化粧板（３）の周縁から内側に所要の間隔（ｔ）をもって行うことを特徴とする請求項２に記載の壁面への化粧板の取付固定方法。
【請求項４】
上記水性形接着剤（４）を酢酸ビニル樹脂系としたことを特徴とする請求項２又は３に記載の壁面への化粧板の取付固定方法。
【発明の詳細な説明】
【技術分野】
【０００１】
この発明は、化粧合板やメラミン化粧板等の化粧板を壁面に取付固定する方法及びその取付構造に関するものである。
【背景技術】
【０００２】
化粧板は、壁面に取付固定した時、直接に、人の眼についたり手で触ったりして良いように、表面が工場で仕上げられている板であり、自然木の薄板を合板に貼った天然木化粧合板、合板にポリエステル樹脂を塗装したポリ化粧板、合板に木目を印刷したプリント紙を貼ったプリント化粧合板、合板に塩化ビニルを貼った塩ビ化粧合板、メラミン化粧板等がある。前記合板にはラワン材が多く使用されている。
【０００３】
この化粧板を壁面に取付固定する手段は、通常、接着剤によって行われているが、近年、シックハウス症候群への対策として、ホルムアルデヒド系の有機性接着剤は使用されなくなり、その弊害の少ない水性形接着剤が使用されるようになっている。この水性形接着剤は、水を揮発（放散）させ硬化して接着力を得るものであり、その硬化には時間を要する。このため、化粧板を壁面に仮止めする必要があり、従来では、釘止めが一般的である。
また、仮止めや接着剤の接着力の低下に対応するため、吊り金具で化粧板を支える技術もある（特許文献１、要約、図１参照）。
【先行技術文献】
【特許文献】
【０００４】
【特許文献１】特開平９−２２８６０３号公報
【発明の概要】
【発明が解決しようとする課題】
【０００５】
上記釘打ちによる化粧板の仮止めは、強度的には十分であるが、釘が表面に現れ、見栄えが悪くなる場合があり、表面模様に隠れるようにしても、よく見ると、その釘を確認できたりする。また、隠し釘を行うことも考えられるが、化粧板の表面模様になじむようにすることは困難である。
吊り金具による手段は、大がかりであり、仮止めとしては作業性やコスト面で問題がある。
【０００６】
今日、「木工ボンド」と称される酢酸ビニル樹脂系接着剤等の水性形接着剤は、化粧板の壁面への十分な取付固定力を得る接着力を持っている。また、両面テープは仮止め材として多用されている。
このため、化粧板の裏面にその両面テープを貼着し、その両面テープを貼着した化粧板の裏面の全域に接着剤を塗布し、両面テープの離型紙を剥がした後、その化粧板を壁下地材に圧力をもって当てがい、両面テープの接着力で化粧板を下地材に仮止めし、接着剤の硬化によって本固定することが考えられる。
「仮止め」として十分な両面テープを化粧板の裏面に貼着すると、その両面テープの貼着された部分が多くなり（広くなり）、その部分では、接着剤による化粧板の下地材への固定ではなく、両面テープのみで固定することとなる。両面テープの接着力は経年劣化が接着剤に対しては遙かに速いため、その両面テープの貼着された部分が多ければ多いほど、経年に伴う壁面への化粧板の取付安定性は劣ることとなる。
【０００７】
この発明は、以上の実状の下、両面テープを仮止め材として使用しても、接着剤による十分な接着力（固定力）を得るようにすることを課題とする。
【課題を解決するための手段】
【０００８】
上記課題を達成するため、この発明は、上記両面テープにその長さ方向に所要間隔に孔の開いたものを採用することとしたのである。
この孔の開いた両面テープであると、化粧板裏面に接着剤を塗布すると、その孔内に接着剤が入り込んでその孔部分においても、接着剤による壁面への化粧板の接着固定がなされる。この孔内における接着固定は、両面テープの長さ方向全長に亘って上記所要間隔で行われるため、十分な接着強度を得ることができる。このため、両面テープ以外の部分における接着固定に加えてその孔内における接着固定が行われて、壁面への化粧板全体の十分な接着固定強度を得ることができる。孔の大きさや前記所要間隔は、その十分な接着固定強度を得ることができるように、実験等によって適宜に設定する。
【０００９】
この発明に係る化粧板の壁面への固定構造の具体的な構成としては、壁下地材に化粧板を接着剤を介在して接着固定した壁面への化粧板の固定構造において、前記壁下地材と化粧板の間に仮止め用両面テープが介在され、その両面テープはその長さ方向に所要間隔で孔が形成されており、前記接着剤は、水性形であって、壁下地材と化粧板の間の全域に介在されて壁面に化粧板を固定しているとともに前記各孔内に入り込んでその孔内においても壁面に化粧板を固定している構成を採用することができる。
【００１０】
また、この発明に係わる壁面への化粧板の取付固定方法にあっては、壁下地材に化粧板を接着剤を介在して接着固定する前記壁面への化粧板の固定構造をなすための壁面への化粧板の取付固定方法において、前記化粧板の裏面の所要箇所、又は壁下地板の化粧板を取付ける表面の所要箇所に、長さ方向所要間隔に孔を有する両面テープをその離型紙側を表にして貼着し、その両面テープを貼着した化粧板の裏面の全域、又は壁下地板の表面の全域に、両面テープの孔内も含めて水性形接着剤を塗布し、その後、前記離型紙を剥がし、前記化粧板を下地材に両面テープ及び接着剤を介在して圧力をもって当てがい、前記両面テープの接着力で化粧板を壁下地材に仮止めし、前記水性形接着剤の硬化によって本固定する構成を採用することができる。
【００１１】
これらの壁面への化粧板の固定構造、及びその構造をなすための壁面への化粧板の取付固定方法において、水性形接着剤を使用し、壁下地材に化粧板を接着するので、接着剤の水分は、ほぼ無害であって、化粧板及び壁下地材を介して揮発するため、その接着剤の硬化は円滑になされる。また、硬化すれば、水性形接着剤は十分な接着力を経年をもって維持する。その水性形接着剤は、酢酸ビニル樹脂系、エチレン−酢酸ビニル樹脂系、アクリル樹脂系、水性高分子−イソシアネート系などが考えられるが、「木工ボンド」として、安価で環境面でも優れている酢酸ビニル樹脂系を採用することが好ましい。このとき、その酢酸ビニル樹脂エマルジョン系の樹脂分の高い接着剤を使用すれば、工期の短縮を図ることができる。前記水分の揮発を円滑に行うためには、化粧板や壁下地材に通気性や吸湿性の優れた物を使用することが好ましい。
【００１２】
上記化粧板の裏面への両面テープの貼着は、化粧板の周縁から内側に所要の間隔を持って行うことが好ましい。このようにすれば、その間隔部分にも接着剤が塗布されるため、接着剤の接着力によって化粧板の周縁の下地材への固定強度が担保される。このため、化粧板が剥がれる恐れもなく、経年に亘って化粧板が壁下地材に安定して固定される。
【発明の効果】
【００１３】
この発明は、以上のように構成したので、化粧板の仮止めを容易に行うことができるとともに、化粧板の壁面への安定した取付固定力を得ることができる。
【図面の簡単な説明】
【００１４】
【図１】この発明に係る壁面への化粧板の取付固定方法の一実施形態の作用図
【図２】同実施形態の作用図
【図３】同実施形態の作用図
【図４】同実施形態の作用図
【図５】同実施形態に使用する両面テープの斜視図
【図６】化粧板を壁下地材に取付固定した状態の一部切欠き斜視図
【発明を実施するための形態】
【００１５】
この発明に係る壁面への化粧板の取付固定方法の一実施形態を図１〜図６に示し、この実施形態は、図６に示す、壁枠１に下地材２を釘打ちによって取付け、その下地材２の表面に化粧板３を取付固定するものである。下地材２には、ベニヤ合板、石膏ボード等の吸湿性の物を使用する。化粧板３としては、上記天然木化粧合板、ポリ化粧板、プリント化粧合板、塩ビ化粧合板、メラミン化粧板等の周知のものを使用できる。この実施形態の化粧板３は、図１において、横長：１８２０ｍｍ、縦長：９１０ｍｍ、厚み：２．５ｍｍのベニヤ合板の表面に化粧紙を貼った、２．１ｋｇ重量のアイカ工業株式会社：商品名「マーレスボード」、及び横長：１８５０ｍｍ、縦長：９３５ｍｍ、厚み：３．０ｍｍ、コルク板の表面に２ｍｍ厚のメラミン化粧板を貼った、３．２ｋｇ重量のタカセー株式会社（出願人）：商品名「スマートフリー」を使用した。
【００１６】
このような化粧板３を壁下地材２に接着固定するには、化粧板３は勿論のこと、水性形接着剤４及び図５に示す両面テープ５を用意する。
その接着剤４は、水性形であれば何れでも良いが、例えば、アイカ工業株式会社の商品名「アイカクオリティーワンＡ−Ｑ１（Ｓ）」を使用する。この接着剤４は、酢酸ビニル樹脂エマルジョン系接着剤であって、その各成分の含有量（重量％）は、酢酸ビニル樹脂等：４０〜４４、酢酸ビニルモノマー：０．３以下、水：５６〜６０である。
両面テープ５は、例えば、コニシ株式会社の商品名「ボンド大手貼り用穴あき両面テープ  ＷＦ００３Ｐ−２１」（幅：２１ｍｍ）を使用し、基材５ａの両面にアクリル樹脂系粘着層５ｂを形成し、その一面に離型紙５ｃを貼着し、離型紙５ｃの貼着されていない面を内側にしてロール状に巻回したものである。この両面テープ５は、その長さ方向に孔６が所要間隔で形成されている。
【００１７】
これらの接着剤４及び両面テープ５を用意した後、図１に示すように、化粧板３を裏返して床などに置き、まず、図５に示すように、両面テープ５を引き出しつつ、図２に示すように、その化粧板３裏面の所要箇所に貼着する。
この実施形態では、化粧板３の四辺縁全長に亘って貼着し、その間の幅方向の中程に一本、同長さ方向の三等分位に三本貼着しているが、仮固定の強度を考慮してその貼着箇所を適宜に選択する。例えば、対角線上に貼着する等が考えられる。このとき、化粧板３周縁の両面テープ５は、その周縁から所要の間隔ｔを開けて貼着する。この間隔ｔは、下記の化粧板３周縁の接着剤４による接着強度を考慮して適宜に決定すれば良いが、余り広いと、接着剤４による化粧板３の本固定前にその周縁が浮き上がる反り状態となるため、その反りが起こらないように実作業等によって適宜に設定する。因みに、化粧板３に上記「マーレスボード」、「スマートフリー」、接着剤４としてアイカクオリティーワンＡ−Ｑ１（Ｓ）」、両面テープ５として「ＷＦ００３Ｐ−２１」とした場合は、ｔ＝２〜３ｍｍ程度であり、より好ましくはｔ＝約３ｍｍとした場合であった。
【００１８】
つぎに、図３に示すように、くし目コテ７でもって、接着剤４を化粧板３の裏面全域に亘って塗布する。そのくし目コテの谷の深さは、接着剤４の塗布層の厚みを決定するため、実作業によって適宜に決定すれば良いが、例えば、３ｍｍとし、この場合、接着剤４の塗布層厚は約３ｍｍとなる。この塗布時、両面テープ５の表面にも接着剤４が塗布される。その塗布は、化粧板３裏面全域に隙間無く行っても良いが、固定強度を低下させない限りにおいて、間欠的であったり、部分的であったりしても良い。
【００１９】
なお、この種の建築現場において、各建築部材同士の接着固定には接着剤が使用され、その塗布道具としてクシ目コテがよく利用されている。このクシ目コテによる接着剤の塗布時、くし目コテで出来た接着剤の山条と谷条が接着強度に大きく影響し（重要で）、谷の部分から水分や溶剤、あるいは空気などを逃がし、接着剤を均等に被着材に馴染ませる効果がある。このため、下地材２の種類、被着材である化粧板３の種類に応じて、適宜の山谷形状及び谷深さの種々のクシ目コテを採用する。
【００２０】
接着剤４の塗布が完了すれば、両面テープ５の離型紙５ｃを剥ぎ取る。すると、図４に示すように、その離型紙５ｃとともにその上に塗布されていた接着剤４も剥ぎ取られ、両面テープ５の粘着層５ｂが露出する。
【００２１】
つぎに、図６に示すように、その裏面に接着剤４と両面テープ５の粘着層５ｂが露出した化粧板３を下地材２の表面に圧力をもって当てがい（押し付け）、両面テープ５の接着力（粘着層５ｂ）で化粧板３を下地材２に仮止め固定する。このとき、両面テープ５は化粧板３の裏面全周縁や中程に位置して仮止めとしては十分な接着力を発揮する。また、下地材２は吸湿性のため、水性形接着剤４からの水分の揮発（放散）を円滑に行って、接着剤４は速やかに硬化する。
このため、化粧板３は、仮止めにおいても下地材２からずれることなく、接着剤４によって下地材２に強固に取付固定される。この取付固定状態は、釘等もなく、化粧板３の表面（化粧面）がきれいに現れて見栄えの良いものとなる。また、化粧板３の周縁の両面テープ５はその周縁から所要の間隔ｔを開けて貼着したため、その間隔ｔ部分には接着剤４が塗布されており、このため、接着剤４の接着力によって化粧板３の周縁の下地材２への固定強度が担保されるため、化粧板３が剥がれる恐れもなく、経年に亘って化粧板３は下地材２に安定して固定される。
【００２２】
上記実施形態は、化粧板３側に両面テープ５及び接着剤４を設けたが、下地材２の化粧板３を取付ける表面の所要箇所に、その両面テープ５を貼着するとともに接着剤４を塗布した後、化粧板３をその下地材２に当てがい、化粧板３を下地材２に仮止及び本固定することもできる。
【００２３】
なお、上記各実施形態においては、化粧板３の好ましい厚みは３ｍｍ以下、同重量：３．５ｋｇ以下としたが、両面テープ５に貼着力（粘着力）の高い物、例えば、ＪＩＳ規格（Ｚ１５４１）１種（超強力）を使用すれば、それ以上の厚みや重さの化粧板３を仮止し、強固に本止めすることができる。
化粧板３には、表面に種々の模様が施されていない合板、単板も含まれる。それら（化粧板３も含め）において、板の反りがきつい場合、両面テープ５を多く使用するとともに、四角辺縁のみならずその内に置いて適宜に貼着してその反りに抗するようにすることは勿論である。
【符号の説明】
【００２４】
１  壁枠
２  壁下地材
３  化粧板
４  接着剤
５  両面テープ
５ａ  両面テープの基材
５ｂ  両面テープの粘着層
５ｃ  両面テープの離型紙
６  両面テープの孔
ｔ  間隔
【図１】
2015200070.tif 000003
【図２】
2015200070.tif 000004
【図３】
2015200070.tif 000005
【図４】
2015200070.tif 000006
【図５】
2015200070.tif 000007
【図６】
2015200070.tif 000008